(57)【要約】【課題】  遊技性を向上させた弾球遊技機の遊技盤を提供する。【解決手段】  本発明では、中ステージ部１４０における球通路１４１，１４２の終端部に達した遊技球は、テーパ部に沿って転がり移動したのち回転しつつ落下穴１４４を落下するように構成されており、第１前ステージ部１２０における落下穴１４４の下方に、落下穴１４４を落下した遊技球を受け止めて支持する溝部１２２が前後に延びて形成され、溝部１２２に支持された遊技球は、溝部１２２を前方へ転がり移動してセンター飾り１００の下方に設けられた入賞装置へ向けて落下するように構成される。【選択図】  図４
2006061478.tif 000002
【特許請求の範囲】
【請求項１】
所定の遊技領域が設けられた弾球遊技機の遊技盤において、
前記遊技領域に設けられ、遊技球が入球可能な内部空間を有する飾り部材と、
前記遊技領域における前記飾り部材の下方に設けられ、遊技球が入球可能な入賞装置と、
前記飾り部材の前記内部空間に設けられ、前記内部空間に入球した遊技球が転がり移動可能な第１ステージ部と、
前記内部空間における前記第１ステージ部の前方に設けられ、前記第１ステージ部における所定位置に設けられた第１落下位置から落下した遊技球が転がり移動可能な第２ステージ部と、
前記内部空間における前記第１ステージ部の前下方に設けられ、前記第１ステージ部における前方側に開放された第２落下位置、もしくは前記第２ステージ部から落下した遊技球を受け止めて前記飾り部材の下方へ排出する第３ステージ部とを備え、
前記第１ステージ部を転がり移動する遊技球は、前記第１落下位置もしくは前記第２落下位置のいずれかを通過して前記第１ステージ部から落下するように構成され、
前記第２ステージ部は、前記第１落下位置から落下した遊技球が転がり移動可能な球通路と、
前記球通路の終端部に設けられ、前記球通路の終端部に達した遊技球が前記第３ステージ部へ向けて落下する落下穴と、
前記落下穴における前記球通路側の開口部に形成されたテーパ部とを有し、
前記球通路の終端部に達した遊技球は、前記テーパ部に沿って転がり移動したのち回転しつつ前記落下穴を落下するように構成されており、
前記第３ステージ部における前記落下穴の下方に、前記落下穴を落下した遊技球を受け止めて支持する溝部が前後に延びて形成され、
前記溝部に支持された遊技球は、前記溝部を前方へ転がり移動して前記飾り部材の下方に設けられた前記入賞装置へ向けて落下するように構成されることを特徴とする弾球遊技機の遊技盤。
【請求項２】
前記溝部が遊技球の径より小さい幅を有して前記第３ステージ部に凹設され、
前記溝部の両側端部で遊技球を支持可能に構成されることを特徴とする請求項１に記載の弾球遊技機の遊技盤。
【請求項３】
前記球通路が平面視曲線状に形成されており、
前記球通路の底部外周側に、外方へ向かうにつれて下方へ傾斜する通路傾斜部が形成されることを特徴とする請求項１もしくは請求項２に記載の弾球遊技機の遊技盤。
【請求項４】
前記球通路が複数設けられ、
前記複数の前記球通路の終端部が一つの前記落下穴に繋がるように構成されることを特徴とする請求項１から請求項３のうちいずれか一項に記載の弾球遊技機の遊技盤。
【請求項５】
前記球通路が平面視曲線状に形成され、前記球通路における外周側壁面が前記落下穴の前記開口部に繋がるように構成されており、
前記外周側壁面における前記開口部と繋がる部分の延長面が前記テーパ部に対し平面視交差するように構成されることを特徴とする請求項１から請求項４のうちいずれか一項に記載の弾球遊技機の遊技盤。
【発明の詳細な説明】
【技術分野】
【０００１】
本発明は、パチンコ機に代表される弾球遊技機の遊技盤に関し、さらに詳しくは、遊技盤に構成される飾り部材の構造に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、発射装置により遊技領域上部に導いた遊技球を落下させる過程で遊技領域内に設けた入賞具に入賞させる遊技を行うように構成されている。
【０００３】
遊技盤は、ルータ加工等を施した矩形状のベニヤ板に所定の図柄を印刷したセルを貼り付けて形成された化粧板を基板として構成され、化粧板の前面に遊技球を導くレールを取り付けて略円形状の遊技領域が区画形成されている。遊技領域内には、多数の遊技釘、入賞装置等が取り付けられるとともに、略中央部に設けられた開口部の周縁に飾り部材が取り付けられており、この開口部内に遊技展開に応じた図柄を表示させて遊技性を高めるための図柄表示装置が例えば液晶パネル等の表示部を前面に臨ませて配設されている。
【０００４】
飾り部材の中央に前後に開口を有して形成された内部空間には、例えば、内部空間に達した遊技球が転動可能なステージが設けられる（例えば、特許文献１を参照）。ステージは、飾り部材の球取込口からワープ通路を経由して内部空間に達した遊技球を中央球出口と左右球落下部とのいずれかに振り分ける。ステージにおける中央球出口に振り分けられた遊技球は、当該中央球出口から真下の始動入賞装置に向けて落下する。一方、ステージにおける左右球落下部に振り分けられた遊技球は、当該左右球落下部から始動入賞装置よりも左右に外れた位置に向けて落下する。このようにして、遊技球が始動入賞装置に入賞するという期待感を遊技者に抱かせ、遊技性を向上させている。
【特許文献１】特開２００４−１４７９４１号公報
【発明の開示】
【発明が解決しようとする課題】
【０００５】
しかしながら、従来においては、飾り部材のステージに達した遊技球が転がり移動するパターンはあまり多くなく、単調なものになっていた。
【０００６】
本発明は、このような問題に鑑みて成されたものであり、遊技性を向上させた弾球遊技機の遊技盤を提供することを目的とする。
【課題を解決するための手段】
【０００７】
このような目的達成のため、本発明では、所定の遊技領域が設けられた弾球遊技機（例えば、実施形態におけるパチンコ機ＰＭ）の遊技盤において、遊技領域に設けられ、遊技球が入球可能な内部空間を有する飾り部材（例えば、実施形態におけるセンター飾り１００）と、遊技領域における飾り部材の下方に設けられ、遊技球が入球可能な入賞装置（例えば、実施形態における始動入賞装置１７）と、飾り部材の内部空間に設けられ、内部空間に入球した遊技球が転がり移動可能な第１ステージ部（例えば、実施形態における後ステージ部１１０）と、内部空間における第１ステージ部の前方に設けられ、第１ステージ部における所定位置に設けられた第１落下位置（例えば、実施形態における中央傾斜部１１２）から落下した遊技球が転がり移動可能な第２ステージ部（例えば、実施形態における中ステージ部１４０）と、内部空間における第１ステージ部の前下方に設けられ、第１ステージ部における前方側に開放された第２落下位置（例えば、実施形態における左傾斜部１１３および右傾斜部１１４）、もしくは第２ステージ部から落下した遊技球を受け止めて飾り部材の下方へ排出する第３ステージ部（例えば、実施形態における第１前ステージ部１２０）とを備えている。
【０００８】
そして、第１ステージ部を転がり移動する遊技球は、第１落下位置もしくは第２落下位置のいずれかを通過して第１ステージ部から落下するように構成され、第２ステージ部は、第１落下位置から落下した遊技球が転がり移動可能な球通路と、球通路の終端部に設けられ、球通路の終端部に達した遊技球が第３ステージ部へ向けて落下する落下穴と、落下穴における球通路側の開口部に形成されたテーパ部とを有し、球通路の終端部に達した遊技球は、テーパ部に沿って転がり移動したのち回転しつつ落下穴を落下するように構成されており、第３ステージ部における落下穴の下方に、落下穴を落下した遊技球を受け止めて支持する溝部が前後に延びて形成され、溝部に支持された遊技球は、溝部を前方へ転がり移動して飾り部材の下方に設けられた入賞装置へ向けて落下するように構成されている。
【０００９】
また、上述の発明において、溝部が遊技球の径より小さい幅を有して第３ステージ部に凹設され、溝部の両側端部で遊技球を支持可能に構成されることが好ましい。
【００１０】
さらに、上述の発明において、球通路が平面視曲線状に形成されており、球通路の底部外周側に、外方へ向かうにつれて下方へ傾斜する通路傾斜部が形成されることが好ましい。
【００１１】
また、上述の発明において、球通路が複数設けられ、複数の球通路（例えば、実施形態における第１球通路１４１および第２球通路１４２）の終端部が一つの落下穴に繋がるように構成されることが好ましい。
【００１２】
さらに、上述の発明において、球通路が平面視曲線状に形成され、球通路における外周側壁面が落下穴の開口部に繋がるように構成されており、外周側壁面における開口部と繋がる部分の延長面がテーパ部に対し平面視交差するように構成されることが好ましい。
【発明の効果】
【００１３】
本発明によれば、第２ステージ部の球通路の終端部に達した遊技球は、テーパ部に沿って転がり移動したのち回転しつつ落下穴を落下するように構成されるため、第２ステージ部に達した遊技球は、第１ステージ部の第２落下位置から第３ステージ部に落下する場合と異なるパターン（リズム）で転がり移動することが可能になる。従って、飾り部材の内部空間に入球した遊技球の動きに変化を持たせることが可能となり、遊技性を向上させることができる。さらに、溝部に支持された遊技球は、溝部を前方へ転がり移動して飾り部材の下方に設けられた入賞装置へ向けて落下するように構成されるため、第２ステージ部に達した遊技球をより確実に入賞装置へ向けて落下させることができる。
【００１４】
また、溝部が遊技球の径より小さい幅を有して第３ステージ部に凹設され、溝部の両側端部で遊技球を支持可能に構成されることで、溝部において遊技球をより安定して支持することができる。
【００１５】
さらに、球通路の底部外周側に、外方へ向かうにつれて下方へ傾斜する通路傾斜部が形成されることで、球通路に達した遊技球は球通路の外周側壁面に沿って転がり移動するため、球通路を通過する遊技球の軌跡を一定にすることができる。
【００１６】
また、球通路が複数設けられ、複数の球通路の終端部が一つの落下穴に繋がるように構成されることで、遊技球が転がり移動するパターンをさらに増やすことができるため、遊技性をさらに向上させることができる。
【００１７】
さらに、球通路の外周側壁面における開口部と繋がる部分の延長面がテーパ部に対し平面視交差するように構成されることで、球通路の終端部に達した遊技球をより確実にテーパ部から落下穴へ導くことができる。また、遊技球がテーパ部に沿って転がり移動したのち回転しつつ振動しながら落下穴を落下するため、遊技球の転がり移動による演出効果を高めることができる。
【発明を実施するための最良の形態】
【００１８】
以下、本発明の好ましい実施形態について図面を参照しながら説明する。本発明に係る遊技盤を備えた弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭのガラス扉を開放して示す正面図、図２はパチンコ機ＰＭの背面図である。
【００１９】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉及び着脱が可能に取り付けられ、正面右側に設けられたダブル錠と称される施錠装置７を利用して常には外枠１と係合連結された閉止状態に保持される。
【００２０】
前枠２の前面側には、上部に前枠２の前面域に合わせた方形状のガラス扉３が、下部に球皿４が、それぞれ正面左側に設けられたヒンジ機構で横開き開閉及び着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００２１】
ガラス扉３の背後に位置する前枠上部には、方形枠状の収容部２ａが前枠２に一体に設けられており、この収容部２ａに設けられた遊技盤係止具８を利用して遊技盤１０が前面側から着脱可能に立設保持されてガラス扉３を通して視認可能となっている。なお、本実施形態においては遊技盤係止具８を収容部２ａに具備して前面側から遊技盤１０を取付可能に構成しているが、収容部を背面側に設けて遊技盤を背面側において取付可能な構成としてもよい。
【００２２】
遊技盤１０は、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４，１５が形成される。遊技領域ＰＡの内側には多数本の遊技釘とともに風車１６、始動入賞装置１７や大入賞装置１８等の各種入賞装置、図柄表示装置２０が取り付けられたセンター飾り１００等の遊技構成部品が取り付けられ、下端部には各入賞装置に入賞することなく遊技領域ＰＡを転動落下した遊技球を回収するためのアウト口１９が設けられる。また、遊技盤１０の背面側には、各入賞装置に入賞した遊技球を案内する経路を備えた球寄せカバー（図示せず）が設けられる。
【００２３】
前枠２の背面側には、図２に示すように、外枠１の内寸サイズよりも幾分小さめの矩形枠状に形成された裏セット盤３０が、互いの背面右側に配設され、前後方向にスライドさせて開閉作動可能に構成されたヒンジ機構６ａ，６ｂにより横開き開閉および着脱可能に取り付けられ、背面各部に設けられた裏セット盤係止具９を用いて常には前枠２の背面を覆う閉鎖状態に保持される。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基づいて遊技球を払い出す球払出装置３４、球払出装置３４から払い出された遊技球を球皿４に導く球払出通路３５等の遊技球の処理機構が設けられている。
【００２４】
また、裏セット盤３０の背面には、制御装置、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００２５】
パチンコ機ＰＭは、ガラス扉３、球皿４、裏セット盤３０等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技領域ＰＡに打ち出され、パチンコゲームが展開される。
【００２６】
次に、センター飾り１００について図３〜図８を追加参照しながら説明する。ここで、図３はセンター飾り１００の正面図、図４はセンター飾り１００の斜視図、図５は図３中の矢印V−Vに沿った側断面図、図６はセンター飾り１００に構成される中ステージ部１４０の平面図、図７は中ステージ部１４０の正面図、そして図８は中ステージ部１４０に形成される落下穴１４４の平面拡大図である。
【００２７】
センター飾り１００は、樹脂材料を用いて射出成形等により一体的に形成された種々の構成部品からなり、遊技領域ＰＡの略中央部に形成された開口部（図示せず）に取り付けられる。センター飾り１００の中央部には、前後に開口した略直方体形の内部空間１０１が形成されており、図１に示すように、この内部空間１０１およびガラス扉３を通じて、センター飾り１００の裏面側に取り付けられた図柄表示装置２０の表示面２０ａを視認できるようになっている。
【００２８】
センター飾り１００の左側部には、図３および図４に示すように、遊技領域ＰＡを流下する遊技球が通過可能な球取込口１０２が形成されており、センター飾り１００内のワープ通路１０３に繋がっている。このワープ通路１０３は、センター飾り１００内で球取込口１０２から下方および後方に延びて内部空間１０１へ繋がるように形成されており、球取込口１０２を通過してワープ通路１０３に達した遊技球は、ワープ通路１０３を転がり移動して内部空間１０１に入球するようになっている。
【００２９】
内部空間１０１の底部後端には、内部空間１０１に入球した遊技球が転がり移動可能な後ステージ部１１０が形成される。後ステージ部１１０は、内部空間１０１の底部後端において左右へ延びるように形成され、後ステージ部１１０の上部に波面状の振り分け部１１１が形成されている。振り分け部１１１の左端部はワープ通路１０３に繋がっており、ワープ通路１０３を通過した遊技球が振り分け部１１１（後ステージ部１１０）の上を転がり移動するようになっている。
【００３０】
振り分け部１１１の中央山部には、前方へ向かうにつれて下方へ傾斜する中央傾斜部１１２が形成されており、振り分け部１１１の中央山部で略停止した遊技球は、中央傾斜部１１２を前方へ転がり移動して後ステージ部１１０の前方に設けられた中ステージ部１４０に落下するようになっている。振り分け部１１１の左右谷部には、前方へ向かうにつれて下方へ傾斜する（前方が開放された）左傾斜部１１３および右傾斜部１１４がそれぞれ形成されており、振り分け部１１１の左側谷部もしくは右側谷部で略停止した遊技球は、左傾斜部１１３もしくは右傾斜部１１４を前方へ転がり移動して後ステージ部１１０の前下方に設けられた第１前ステージ部１２０に落下するようになっている。
【００３１】
そして、ワープ通路１０３を通過して振り分け部１１１（後ステージ部１１０）に達した遊技球は、振り分け部１１１（後ステージ部１１０）の上を一時的に停留するように左右へ転がり移動し、各傾斜部１１２，１１３，１１４のいずれかを通過して後ステージ部１１０から落下するようになっている。
【００３２】
前述したように、後ステージ部１１０の前下方には、第１前ステージ部１２０が左右に延びて形成される。第１前ステージ部１２０は、左右両端から中央に向けて下方へ傾斜するように形成され、その中央上部には、前方へ向かうにつれて下方へ傾斜する第１傾斜部１２１が形成されている。さらに、第１前ステージ部１２０の前下方（内部空間１０１の底部前端）には、第２前ステージ部１３０が左右に延びて形成される。第２前ステージ部１３０は、第１前ステージ部１２０と同様に、左右両端から中央に向けて下方へ傾斜するように形成され、その中央上部には、前方へ向かうにつれて下方へ傾斜する第２傾斜部１３１が形成されている。
【００３３】
そして、後ステージ部１１０の左傾斜部１１３もしくは右傾斜部１１４から落下した遊技球は、第１前ステージ部１２０の上を一時的に停留するように左右へ転がり移動し、第１傾斜部１２１から第２前ステージ部１３０を通過してセンター飾り１００（内部空間１０１）の下方へ排出されるようになっている。なお、第２傾斜部１３１の幅は、第１傾斜部１２１の幅より狭くなっており、第２傾斜部１３１を前方へ転がり移動する遊技球は、遊技領域ＰＡの下部においてセンター飾り１００の下方に設けられた始動入賞装置１７へ向けて落下するようになっている。
【００３４】
ところで、第１傾斜部１２１の中央上部には、遊技球より若干幅の狭い溝部１２２が前後方向に延びて形成されている。溝部１２２は、中ステージ部１４０に形成された落下穴１４４の下方に位置し、落下穴１４４から落下した遊技球を受け止めて支持するように構成される。そして、溝部１２２に支持された遊技球は、溝部１２２を前方へ転がり移動して第２前ステージ部１３０の第２傾斜部１３１を通過し、始動入賞装置１７へ向けて落下するようになっている。これにより、溝部１２２に支持された遊技球は始動入賞装置１７へ向けてほぼ真っ直ぐに落下するため、中ステージ部１４０に達した遊技球をより確実に始動入賞装置１７へ向けて落下させることができる。
【００３５】
なお、溝部１２２は、遊技球の径より小さい幅を有して第１前ステージ部１２０の第１傾斜部１２１に凹設されており、図３に示すように、溝部１２２の両側端部で遊技球を支持可能に構成されている。これにより、溝部１２２において遊技球をより安定して支持することができる。
【００３６】
中ステージ部１４０は、図６および図７に示すように、樹脂材料を用いて射出成形等の成形手段により樋状に一体的に成形され、後ステージ部１１０の前方に取り付けられる。中ステージ部１４０の右側には第１球通路１４１が形成されるとともに、中ステージ部１４０の左側には第２球通路１４２が形成され、後ステージ部１１０の中央傾斜部１１２から落下した遊技球が第１球通路１４１および第２球通路１４２のいずれか一方を転がり移動するようになっている。これにより、遊技球が転がり移動するパターンをさらに増やすことができるため、遊技性をより向上させることができる。なお、中ステージ部１４０の後端部には、中央傾斜部１１２から落下した遊技球が中ステージ部１４０に入球しやすいように逃げ部１４３が形成されている。
【００３７】
第１球通路１４１は、図６に示すように、平面視略Ｕ字形（すなわち、曲線状）に形成され、第１球通路１４１の終端部、すなわち中ステージ部１４０の前部に落下穴１４４が形成されている。一方、第２球通路１４２は、第１球通路１４１とほぼ対称に平面視略Ｕ字形（すなわち、曲線状）に形成され、第２球通路１４２の終端部は同じ落下穴１４４に繋がっている。なお、図６に示すように、第２球通路１４２の形状は、第１球通路１４１の形状と若干異なっており、第２球通路１４２を転がり移動する遊技球の動きが第１球通路１４１に対して変化するようになっている。また、第１および第２球通路１４１，１４２は、図７に示すように、終端部（落下穴１４４）に向かうにつれて下方へ若干傾斜しており、重力の作用により遊技球が確実に各球通路１４１，１４２の終端部（落下穴１４４）へ向かうようになっている。
【００３８】
落下穴１４４は、図５および図６に示すように、中ステージ部１４０の前部において上下に貫通するように形成されており、第１球通路１４１もしくは第２球通路１４２の終端部に達した遊技球が第１前ステージ部１２０へ向けて落下するようになっている。落下穴１４４における球通路側の開口部１４４ａ（すなわち、落下穴１４４の上端）には、テーパ部１４５が形成されており、第１球通路１４１もしくは第２球通路１４２の終端部に達した遊技球がテーパ部１４５に沿って転がり移動したのち回転しつつ落下穴１４４を落下するようになっている。これにより、中ステージ部１４０に達した遊技球は、後ステージ部１１０の左傾斜部１１３もしくは右傾斜部１１４から第１前ステージ部１２０に落下する場合と異なるパターン（リズム）で転がり移動することが可能になる。従って、飾り部材１００の内部空間１０１に入球した遊技球の動きに変化を持たせることが可能となり、遊技性を向上させることができる。
【００３９】
図６および図８からわかるように、第１球通路１４１の（第１）外周側壁面１４６および第２球通路１４２の（第２）外周側壁面１４７は、落下穴１４４の（球通路側の）開口部１４４ａに繋がっている。そして、図８に示すように、第１外周側壁面１４６における開口部１４４ａと繋がる部分の延長面１４６ａは、テーパ部１４５に対し平面視交差するようになっている。これにより、遠心力により第１外周側壁面１４６に沿って転がり移動する遊技球をテーパ部１４５の上に導くことができ、第１球通路１４１の終端部に達した遊技球をより確実にテーパ部１４５から落下穴１４４へ導くことができる。また、遊技球がテーパ部１４５に沿って転がり移動したのち回転しつつ振動しながら落下穴１４４を落下するため、遊技球の転がり移動による演出効果を高めることができる。
【００４０】
一方、第２外周側壁面１４７における開口部１４４ａと繋がる部分の延長面１４７ａも、テーパ部１４５に対し平面視交差するようになっている。これにより、遠心力により第２外周側壁面１４７に沿って転がり移動する遊技球をテーパ部１４５の上に導くことができ、第２球通路１４２の終端部に達した遊技球をより確実にテーパ部１４５から落下穴１４４へ導くことができる。また、第１球通路１４１を通過する場合と同様に、遊技球がテーパ部１４５に沿って転がり移動したのち回転しつつ振動しながら落下穴１４４を落下するため、遊技球の転がり移動による演出効果を高めることができる。
【００４１】
また、図６に示すように、第１球通路１４１の底部外周側には、外方へ向かうにつれて下方へ傾斜する第１通路傾斜部１４８が形成されている。これにより、第１球通路１４１に達した遊技球は重力の作用により第１球通路１４１の第１外周側壁面１４６に沿って転がり移動するため、第１球通路１４１を通過する遊技球の軌跡を一定にすることができる。同様に、第２球通路１４２の底部外周側には、外方へ向かうにつれて下方へ傾斜する第２通路傾斜部１４９が形成されている。これにより、第２球通路１４２に達した遊技球は重力の作用により第２球通路１４２の第２外周側壁面１４７に沿って転がり移動するため、第２球通路１４２を通過する遊技球の軌跡を一定にすることができる。
【００４２】
このように構成されるパチンコ機ＰＭにおいて、遊技球がセンター飾り１００の球取込口１０２を通過すると、ワープ通路１０３を転がり移動してセンター飾り１００の内部空間１０１に入球する。ワープ通路１０３を通過して内部空間１０１に達した遊技球は、後ステージ部１１０の振り分け部１１１の上を一時的に停留するように左右へ転がり移動し、後ステージ部１１０における各傾斜部１１２，１１３，１１４のいずれかを通過して後ステージ部１１０から落下する。
【００４３】
このとき、振り分け部１１１の左側谷部もしくは右側谷部で略停止した遊技球は、振り分け部１１１の左傾斜部１１３もしくは右傾斜部１１４を前方へ転がり移動して後ステージ部１１０の前下方に設けられた第１前ステージ部１２０に落下する。左傾斜部１１３もしくは右傾斜部１１４から第１前ステージ部１２０に落下した遊技球は、第１前ステージ部１２０の上を一時的に停留するように左右へ転がり移動し、第１前ステージ部１２０の第１傾斜部１２１から第２前ステージ部１３０を通過してセンター飾り１００（内部空間１０１）の下方へ排出される。すなわち、第１前ステージ部１２０に落下した遊技球は、第２前ステージ部１３０から始動入賞装置１７へ向けて落下する。
【００４４】
一方、振り分け部１１１の中央山部で略停止した遊技球は、振り分け部１１１の中央傾斜部１１２を前方へ転がり移動して後ステージ部１１０の前方に設けられた中ステージ部１４０に落下する。中央傾斜部１１２から中ステージ部１４０に落下した遊技球は、中ステージ部１４０の第１球通路１４１および第２球通路１４２のいずれか一方を転がり移動し、終端部に設けられた落下穴１４４から第１前ステージ部１２０へ向けて落下する。なおこのとき、第１球通路１４１もしくは第２球通路１４２の終端部に達した遊技球は、落下穴１４４の上端に形成されたテーパ部１４５に沿って転がり移動したのち回転しつつ落下穴１４４を落下する。
【００４５】
中ステージ部１４０の落下穴１４４から第１前ステージ部１２０へ落下した遊技球は、第１前ステージ部１２０の溝部１２２で受け止められ（支持され）、そのまま溝部１２２を前方へ転がり移動して第２前ステージ部１３０の第２傾斜部１３１を通過し、始動入賞装置１７へ向けて落下する。このとき、溝部１２２に支持された遊技球は始動入賞装置１７へ向けてほぼ真っ直ぐに落下し、遊技球が後ステージ部１１０の左傾斜部１１３もしくは右傾斜部１１４から落下する場合よりも、遊技球が始動入賞装置１７に入賞する可能性は高くなる。
【００４６】
このようにして、センター飾り１００の内部空間１０１に遊技球が入球すると始動入賞装置１７に入賞するという期待感が増し、パチンコ機ＰＭにおける遊技性が向上する。すなわち、本実施形態におけるセンター飾り１００の下方に、第１および第２前ステージ部１２０，１３０から落下した遊技球が入球可能な始動入賞装置１７が設けられることで、センター飾り１００の内部空間１０１に遊技球が入球すると始動入賞装置１７に入賞するという期待感を遊技者に抱かせることが可能となり、遊技性をより向上させることができる。
【００４７】
以上に説明した本発明の実施形態において、達成される主要な効果を整理すれば、下記のようになる。
【００４８】
第１に、中ステージ部１４０の各球通路１４１，１４２の終端部に達した遊技球は、テーパ部１４５に沿って転がり移動したのち回転しつつ落下穴１４４を落下するように構成されるため、中ステージ部１４０に達した遊技球は、後ステージ部１１０の左傾斜部１１３もしくは右傾斜部１１４から第１前ステージ部１２０に落下する場合と異なるパターン（リズム）で転がり移動することが可能になる。従って、飾り部材１００の内部空間１０１に入球した遊技球の動きに変化を持たせることが可能となり、遊技性を向上させることができる。
【００４９】
第２に、遊技領域ＰＡにおけるセンター飾り１００の下方に、第１および第２前ステージ部１２０，１３０から落下した遊技球が入球可能な始動入賞装置１７が設けられることで、センター飾り１００の内部空間１０１に遊技球が入球すると始動入賞装置１７に入賞するという期待感を遊技者に抱かせることが可能となり、遊技性をより向上させることができる。
【００５０】
第３に、溝部１２２に支持された遊技球は、溝部１２２を前方へ転がり移動してセンター飾り１００の下方に設けられた始動入賞装置１７へ向けて落下するように構成されるため、中ステージ部１４０に達した遊技球をより確実に始動入賞装置１７へ向けて落下させることができる。
【００５１】
第４に、溝部１２２が遊技球の径より小さい幅を有して第１前ステージ部１２０の第１傾斜部１２１に凹設され、溝部１２２の両側端部で遊技球を支持可能に構成されることで、溝部１２２において遊技球をより安定して支持することができる。
【００５２】
第５に、第１および第２球通路１４１，１４２の底部外周側に、外方へ向かうにつれて下方へ傾斜する第１および第２通路傾斜部１４８，１４９が形成されることで、第１もしくは第２球通路１４１，１４２に達した遊技球は各球通路の外周側壁面１４６，１４７に沿って転がり移動するため、球通路を通過する遊技球の軌跡を一定にすることができる。
【００５３】
第６に、球通路が複数設けられ、複数の球通路（第１および第２球通路１４１，１４２）の終端部が一つの落下穴１４４に繋がるように構成されることで、遊技球が転がり移動するパターンをさらに増やすことができるため、遊技性をさらに向上させることができる。
【００５４】
第７に、球通路の外周側壁面１４６，１４７における開口部１４４ａと繋がる部分の延長面１４６ａ，１４７ａがテーパ部１４５に対し平面視交差するように構成されることで、球通路の終端部に達した遊技球をより確実にテーパ部１４５から落下穴１４４へ導くことができる。また、遊技球がテーパ部１４５に沿って転がり移動したのち回転しつつ振動しながら落下穴１４４を落下するため、遊技球の転がり移動による演出効果を高めることができる。
【００５５】
なお、上述の実施形態において、遊技領域ＰＡにおけるセンター飾り１００の下方に、第１および第２前ステージ部１２０，１３０から落下した遊技球が入球可能な始動入賞装置１７が設けられているが、これに限られるものではなく、例えば、いわゆる一般入賞装置が設けられるようにしてもよい。
【００５６】
また、上述の実施形態において、溝部１２２が遊技球の径より小さい幅を有して第１前ステージ部１２０の第１傾斜部１２１に凹設されているが、これに限られるものではなく、例えば、第１傾斜部１２１の中央上部に遊技球を支持可能な一対のレールを形成するようにしてもよい。また、第１前ステージ部１２０において溝部１２２が形成される部分（例えば、第１傾斜部１２１およびその近傍）を、弾性を有する材料（例えば、硬質ゴム材料等）を用いて（別体に）形成するようにしてもよい。このようにすれば、中ステージ部１４０の落下穴１４４から落下した遊技球を安定して受け止めることができる。
【００５７】
さらに、上述の実施形態において、中ステージ部１４０に第１および第２球通路１４１，１４２が設けられているが、これに限られるものではなく、例えば、球通路が１つだけ設けられるようにしてもよく、球通路が３つ以上設けられるようにしてもよい。
【００５８】
また、上述の実施形態において、第１前ステージ部１２０の前下方に第２前ステージ部１３０が設けられているが、これに限られるものではなく、第２前ステージ部１３０を設けなくてもよい。
【００５９】
さらに、上述の実施形態において、中ステージ部１４０における第１および第２球通路１４１，１４２の終端部に一つの落下穴１４４が設けられているが、これに限られるものではなく、中ステージ部１４０に複数の落下穴を（各球通路に対応して）設けるようにしてもよい。
【００６０】
また、上述の実施形態において、本発明に係る遊技盤１０が第１種パチンコ遊技機であるパチンコ機ＰＭに設けられているが、これに限られるものではなく、例えば、第２種パチンコ遊技機や第３種パチンコ遊技機、雀球遊技機等の弾球遊技機に設けられてもよい。
【図面の簡単な説明】
【００６１】
【図１】本発明に係る遊技盤を備えたパチンコ機のガラス扉を開放して示す正面図である。
【図２】上記パチンコ機の裏面側を示す背面図である。
【図３】センター飾りの正面図である。
【図４】センター飾りの斜視図である。
【図５】図３中の矢印V−Vに沿った側断面図である。
【図６】中ステージ部の平面図である。
【図７】中ステージ部の正面図である。
【図８】中ステージ部に形成される落下穴の平面拡大図である。
【符号の説明】
【００６２】
ＰＭ  パチンコ機（弾球遊技機）
ＰＡ  遊技領域
１０  遊技盤
１７  始動入賞装置（入賞装置）
１００  センター飾り（飾り部材）
１０１  内部空間
１１０  後ステージ部（第１ステージ部）
１１２  中央傾斜部（第１落下位置）
１１３  左傾斜部（第２落下位置）
１１４  右傾斜部（第２落下位置）
１２０  第１前ステージ部（第３ステージ部）
１２２  溝部
１３０  第２前ステージ部
１４０  中ステージ部（第２ステージ部）
１４１  第１球通路
１４２  第２球通路
１４４  落下穴（１４４ａ  開口部）
１４５  テーパ部
１４６  第１外周側壁面（１４６ａ  延長面）
１４７  第２外周側壁面（１４７ａ  延長面）
１４８  第１通路傾斜部
１４９  第２通路傾斜部
【図１】
2006061478.tif 000003
【図２】
2006061478.tif 000004
【図３】
2006061478.tif 000005
【図４】
2006061478.tif 000006
【図５】
2006061478.tif 000007
【図６】
2006061478.tif 000008
【図７】
2006061478.tif 000009
【図８】
2006061478.tif 000010